(57)【特許請求の範囲】
【請求項１】
着座部とこの着座部の周縁を保持する周縁枠部とを備えてなり、前記周縁枠部の複数箇所に脚取付部を設けたものであって、
前記脚取付部が、複数種類の座支持体を選択的に取付けることができるように構成されたものであり、
前記複数種類の座支持体が、床に置かれる短寸脚状のもの、スツールタイプの椅子を構成する脚状のもの、ベンチタイプの椅子を構成するフレーム状のもの、折り畳みタイプの椅子を構成するフレーム状のものの少なくとも２つである座構成部材。
【請求項２】
着座部とこの着座部の周縁を保持する周縁枠部とを備えてなり、前記周縁枠部の複数箇所に脚取付部を設けたものであって、
前記脚取付部が、複数種類の座支持体を選択的に取付けることができるように構成されたものであり、
前記脚取付部が、ねじ孔及び／又は前記座支持体に設けられた弾性爪を係合させるための係合凹部である座構成部材。
【請求項３】
着座部とこの着座部の周縁を保持する周縁枠部とを備えてなり、前記周縁枠部の複数箇所に脚取付部を設けたものであって、
前記脚取付部が、複数種類の座支持体を選択的に取付けることができるように構成されたものであり、
前記脚取付部が、前記座支持体に設けられた弾性爪を係合させるための係合凹部であり、前記座支持体が上端側に前記弾性爪を有するとともに下端側に前記床に固定するための止着具を挿通させ得る取付孔を有するものである座構成部材。
【請求項４】
前記着座部が、網状のものであり、この着座部と前記周縁枠部とが合成樹脂により一体に形成されている請求項１、２又は３記載の座構成部材。
【請求項５】
前記着座部が、中央部分が周縁部分よりも低くなるような湾曲面を有したものである請求項１、２、３又は４記載の座構成部材。
【請求項６】
前記着座部が、中央部分が周縁部分よりも高くなるような湾曲面を有したものであり、着座者が着座した場合には弾性変形により前記中央部分が前記周縁部分より低くなるような湾曲面を形成し得るものである請求項１、２、３又は４記載の座構成部材。
【請求項７】
請求項１〜６何れかに記載の座構成部材とこの座構成部材を支持する座支持体とを備えた椅子。
【発明の詳細な説明】
【技術分野】
【０００１】
本発明は、上面側に着座面を有した座構成部材、及び、この座構成部材を備えた椅子に関する。
【背景技術】
【０００２】
従来から、座を有した種々の椅子が知られている（例えば、特許文献１を参照）。
【０００３】
従来の座は、専用の支持体すなわち一種類の座支持体に支持されることを前提として作られており、その座支持体に対応した専用の取付部が形成されたものとなっている。このため、従来の座は、例えば、複数のタイプの椅子を実現するにあたり座を構成する部材を共通的に適用したり、或いは、一定期間、椅子における座を構成する部材として使用された後に、異なるタイプの椅子における座を構成する部材にそのまま転用したりすることを前提としたものにはなっていなかった。
【先行技術文献】
【特許文献】
【０００４】
【特許文献１】特開２００１−１０４０９６号公報
【発明の概要】
【発明が解決しようとする課題】
【０００５】
本発明は、以上のような事情に着目してなされたもので、複数種類の椅子に共通して使用することができる座構成部材、及び、当該座構成部材を備えた椅子を提供することにある。
【課題を解決するための手段】
【０００６】
すなわち、本発明は次の構成をなしている。
【０００７】
請求項１に記載の座構成部材は、着座部とこの着座部の周縁を保持する周縁枠部とを備えてなり、前記周縁枠部の複数箇所に脚取付部を設けたものであって、前記脚取付部が、複数種類の座支持体を選択的に取付けることができるように構成されたものであり、前記複数種類の座支持体が、床に置かれる短寸脚状のもの、スツールタイプの椅子を構成する脚状のもの、ベンチタイプの椅子を構成するフレーム状のもの、折り畳みタイプの椅子を構成するフレーム状のものの少なくとも２つである。
【０００８】
請求項２に記載の座構成部材は、着座部とこの着座部の周縁を保持する周縁枠部とを備えてなり、前記周縁枠部の複数箇所に脚取付部を設けたものであって、前記脚取付部が、複数種類の座支持体を選択的に取付けることができるように構成されたものであり、前記脚取付部が、ねじ孔及び／又は前記座支持体に設けられた弾性爪を係合させるための係合凹部である。
請求項３に記載の座構成部材は、着座部とこの着座部の周縁を保持する周縁枠部とを備えてなり、前記周縁枠部の複数箇所に脚取付部を設けたものであって、前記脚取付部が、複数種類の座支持体を選択的に取付けることができるように構成されたものであり、前記脚取付部が、前記座支持体に設けられた弾性爪を係合させるための係合凹部であり、前記座支持体が上端側に前記弾性爪を有するとともに下端側に前記床に固定するための止着具を挿通させ得る取付孔を有するものである。
【０００９】
ここで、「床」とは、着座者が座り得る場所全般を指すものであり、板材やコンクリート等でつくられた構造物の上面に限られず、地面を含む概念である。
【００１０】
請求項４に記載の座構成部材は、請求項１、２又は３記載の構成において、前記着座部が、網状のものであり、この着座部と前記周縁枠部とが合成樹脂により一体に形成されているものである。
【００１３】
請求項５に記載の座構成部材は、請求項１、２、３又は４記載の構成において、前記着座部が、中央部分が周縁部分よりも低くなるような湾曲面を有したものである。
【００１４】
請求項６に記載の座構成部材は、請求項１、２、３又は４記載の構成において、前記着座部が、中央部分が周縁部分よりも高くなるような湾曲面を有したものであり、着座者が着座した場合には弾性変形により前記中央部分が前記周縁部分より低くなるような湾曲面を形成し得るものである。
【００１５】
請求項７に記載の椅子は、請求項１〜６何れかに記載の座構成部材とこの座構成部材を支持する座支持体とを備えたものである。
【発明の効果】
【００１６】
以上説明したように本発明によれば、複数種類の椅子に共通して使用することができる座構成部材、及び、当該座構成部材を備えた椅子を提供することができるものとなる。
【図面の簡単な説明】
【００１７】
【図１】本発明の第一の実施形態を示す斜視図。
【図２】同実施形態における座構成部材の平面図。
【図３】同実施形態における底面図。
【図４】同実施形態における正面図。
【図５】図２におけるＡ−Ａ線断面図。
【図６】同実施形態における分解斜視図。
【図７】同実施形態を説明するための分解斜視図。
【図８】座支持体の他の取り付け態様を説明するための斜視図。
【図９】同実施形態の使用例を説明するための概略側面図。
【図１０】同実施形態における座構成部材を他の座支持体に取り付けた例を示す斜視図。
【図１１】同実施形態における正面図。
【図１２】同実施形態における斜視図。
【図１３】同実施形態における座構成部材を他の座支持体に取り付けた例を示す斜視図。
【図１４】同実施形態における斜視図。
【図１５】同実施形態における背面側からみた斜視図。
【図１６】同実施形態における座構成部材を他の座支持体に取り付けた例を示す斜視図。
【図１７】第二の実施形態を示す底面図。
【図１８】同実施形態における分解斜視図。
【図１９】図１７におけるＢ−Ｂ線断面図。
【図２０】図１７におけるＣ−Ｃ線拡大断面図。
【図２１】同実施形態における座構成部材に異なる構造の溝カバーを取り付けた例を示す底面図。
【図２２】同実施形態における分解斜視図。
【図２３】図２２におけるＤ−Ｄ線拡大断面図。
【図２４】第三の実施形態である座構成部材を示す斜視図。
【図２５】同実施形態における座構成部材を座支持体に取り付けた例を示す斜視図。
【図２６】同実施形態における座構成部材を座支持体に取り付けた例を示す斜視図。
【図２７】第四の実施形態である座構成部材を示す斜視図。
【図２８】同実施形態の使用例を説明するための斜視図。
【図２９】第五の実施形態である座構成部材の一部及び座支持体を示す部分拡大斜視図。
【図３０】同実施形態における座構成部材と座支持体との係わり合いを説明するための概略断面図。
【図３１】同実施形態における座構成部材と座支持体との係わり合いを説明するための概略断面図。
【図３２】第六の実施形態である座構成部材の一部及び座支持体を示す部分拡大斜視図。
【図３３】第七の実施形態である座構成部材の一部及び座支持体を示す部分拡大斜視図。
【図３４】同実施形態の座支持体が装着された一例を説明するための概略側面図。
【発明を実施するための形態】
【００１８】
＜第一の実施形態＞
以下、本発明の一実施形態を、図１〜１６を参照して説明する。
【００１９】
この実施形態は、本発明を、合成樹脂により形成された座構成部材１に適用したものである。
【００２０】
座構成部材１は、複数タイプの座支持体２ａ、２ｂ、２ｃ、２ｄ、すなわち、床Ｆに置かれる座椅子Ａａを構成する短寸脚状の座支持体２ａ、スツールタイプの椅子Ａｂを構成する脚状の座支持体２ｂ、ベンチタイプの椅子Ａｃを構成するフレーム状の座支持体２ｃ、及び、折り畳みタイプの椅子Ａｄを構成するフレーム状の座支持体２ｄに選択的に取り付けることができるものとなっている。以下、詳述する。
【００２１】
図１では、座構成部材１に、四本の短寸脚状の座支持体２ａを適用した座椅子Ａａを示している。この座椅子Ａａは、図９に示すように、床Ｆに配設されるものである。座椅子Ａａは、床Ｆである単純床Ｆ（Ｆ１）あるいは階段状の構造物に設けられた段床Ｆ（Ｆ２）に固定された態様で使用されたり、単純床Ｆ（Ｆ１）あるいは段床Ｆ（Ｆ２）に置かれ、固定されない移動可能な態様で使用されたりするものとなっている。なお、図２〜５では、複数種類の座支持体２ａ、２ｂ、２ｃ、２ｄに支持され得るようにした座構成部材１のみを示している。
【００２２】
座構成部材１は、厚み方向に弾性変形可能な着座部１１とこの着座部１１の周縁を保持する周縁枠部１２とを備えたものであり、これら着座部１１及び周縁枠部１２は合成樹脂により一体に形成されている。
【００２３】
着座部１１は、上面側に着座者の臀部が添接し得る着座面１１ａを有した網状のものであり、厚み方向に対して上下方向に弾性変形し易いものとなっている。また、着座部１１は、図５に示すように、断面視において中央部分１１ｃが周縁部分１１ｅよりも低くなるような湾曲面１１ｗを有している。着座部１１は、平面視において略八角形をなしている。
【００２４】
着座部１１は、主として、凸レンズの側面形状に似た複数の第一貫通孔１１１、及び、当該第一貫通孔１１１に隣接して設けられた略矩形状の第二貫通孔１１２と、これら第一、第二貫通孔１１１、１１２との間に形成された樹脂肉部分である帯状部分１１３とを備えたものであり、全体として七宝つなぎの文様を表出させたものとなっている。なお、第一、第二貫通孔１１１、１１２及び樹脂肉部分である帯状部分１１３により形成される模様は種々のものにすることができる。この例では、第一、第二貫通孔１１１、１１２は、手指が入り込まない大きさに設定されている。着座部１１は、周縁枠部１２よりも弾性変形し易くなるように厚み寸法が設定されている。すなわち、着座部１１の厚み寸法は、周縁枠部１２の厚み寸法よりも短く設定されている。
【００２５】
周縁枠部１２は、略八角形をなす着座部１１を囲繞する八角枠状のものである。周縁枠部１２は、着座部１１よりも剛性が高くなるように形成されている。周縁枠部１２は、着座部１１の周端縁に連続して外方に延設され着座部１１の着座面１１ａと略面一をなす上面１２ａを有した上側の周縁枠部材１２１と、この上側の周縁枠部材１２１の下に連続して設けられた下側の周縁枠部材１２２とを備えている。下側の周縁枠部材１２２は、上側の周縁枠部材１２１よりも幅狭に形成されている。下側の周縁枠部材１２２は等幅の帯状の部材により形成された八角枠状をなしている。上側の周縁枠部材１２１と下側の周縁枠部材１２２とは一体に形成されている。図４に示すように、下側の周縁枠部材１２２の側端縁は、上側の周縁枠部材１２１の側端縁よりも若干内側に位置しているため、周縁枠部１２の下面外側には段差部１２３が形成されている。換言すれば、周縁枠部１２には、外側縁側にフランジ状の部位が形成されている。
【００２６】
周縁枠部１２には、複数箇所に座支持体２ａ、２ｂ、２ｃ、２ｄに接続し得る部位、換言すれば、脚取付部たるねじ孔Ｔ１、及び、座支持体２ａに設けられた弾性爪２１を係合させるための脚取付部たる係合凹部Ｔ２が設けられている。図６に示すように、脚取付部であるねじ孔Ｔ１及び係合凹部Ｔ２は、下側の周縁枠部材１２２に形成されている。より具体的にいえば、脚取付部であるねじ孔Ｔ１及び係合凹部Ｔ２は、下側の周縁枠部材１２２における八つの角部分に底面側から上方向に向かって凹んだ態様で形成されている。
【００２７】
ねじ孔Ｔ１及び係合凹部Ｔ２は、上述したように、座構成部材１側に形成されており、複数種類の座支持体２ａ、２ｂ、２ｃ、２ｄを選択的に取り付けることができるようになっている。図６では、脚取付部である係合凹部Ｔ２が、短寸脚状の座支持体２ａに突設された弾性爪２１と係わり合うものを示している。この座支持体２ａの座構成部材１に対する取り付けは、座支持体２ａの弾性爪２１を係合凹部Ｔ２に嵌め込み、弾性爪２１と係合凹部Ｔ２とを係合させることにより行われる。係合凹部Ｔ２は、弾性爪２１が抜け出ることを抑制するために開口幅が内部空間の幅よりも狭く形成されている。
【００２８】
短寸脚状の座支持体２ａは、ブロック状のもので、上端側に弾性爪２１を有するとともに下端側に床Ｆに固定するための止着具たるねじｖ１を挿通させ得る取付孔２２を有している。座支持体２ａは、樹脂により一体に形成されている。座支持体２ａは、ブロック状をなす短寸脚本体２０と、この短寸脚本体２０の上側に向けて対をなして突設された片持ちＶ字状ないし鍵状をなす前記弾性爪２１と、前記短寸脚本体２０に穿設された前記取付孔２２とを備えている。
【００２９】
短寸脚本体２０は、取付孔２２を有した底壁２０ａと、この底壁２０ａの外方端に立設された外壁２０ｂと、前記底壁２０ａの内方端に立設された内壁２０ｃと、前記底壁２０ａの両側端に立設された対をなす側壁２０ｄと、側壁２０ｄの上端部から内向きに延設された上壁２０ｅとを備えている。前記弾性爪２１は、上壁２０ｅから連続して上方向に突出するように設けられている。
【００３０】
取付孔２２は、図７に示すように、段床Ｆ（Ｆ２）を構成する板材Ｆ２１に、四つの座支持体２ａを取り付ける場合に用いられる。四つの座支持体２ａは、ねじｖ１を用いて板材Ｆ２１の所定の位置に螺着されるようになっている。すなわち、四つの座支持体２ａを板材Ｆ２１に対してねじｖ１により止着し、しかる後に、座構成部材１の係合凹部Ｔ２と四つの座支持体２ａの弾性爪２１とを係わり合わせることにより、座構成部材１と座支持体２ａとを連結し、座椅子Ａａを組み立てるようにしている。
【００３１】
ここで、図８は、座構成部材１と座支持体２ａとの他の取付態様を説明するための拡大斜視図を示している。なお、同図において、第一の実施形態と同一又は対応する構成については、先に使用した符号と同じ符号を付して説明することととし、詳細な説明を省略することとする。
【００３２】
図８に示す座支持体２ａは、短寸脚本体２０を主体に構成したものである。そして、両側の側壁２０ｄに上下方向に貫通するねじ挿通孔２３を設けている。これら各ねじ挿通孔２３に、止着具たるねじｖ２を挿通した上で、座構成部材１の脚取付部たるねじ孔Ｔ１にねじｖ２を螺合することにより、座支持体２ａを座構成部材１に取り付けるようにしている。
【００３３】
図１０〜１２では、座構成部材１に、脚状の座支持体２ｂを適用したスツールタイプの椅子Ａｂを示している。この椅子Ａｂは、同一形状をなす複数の木製の脚構成部材２４を組み合わせて形成された座支持体２ｄに座構成部材１を支持させている。
【００３４】
脚状の座支持体２ｂは、平面視中央部から外方に向かって放射状に延びてなるものである。座支持体２ｂは、側面視においてくの字状をなす複数の脚構成部材すなわち四本の脚構成部材２４を平面視中央部において相互に連結させたものであり、これら各脚構成部材２４の上端部に前記座構成部材１と連結するための脚取付部たるねじ挿通孔２４１が設けられている。ねじ挿通孔２４１を通過したねじ（図示せず）は、座構成部材１の脚取付部たるねじ孔Ｔ１に螺合するようになっており、これにより座支持体２ｂを座構成部材１に取り付けることができるようになっている。座支持体２ｂの上端部の外側面は、座構成部材１における下側の周縁枠部材１２２の外面と略面一になるように設定されている。
【００３５】
なお、脚状の座支持体２ｂは、組み立て前の状態では、個々の脚構成部材２４を分離した状態にすることができる。分離した状態の複数の脚構成部材２４は、所定の梱包用の箱（図示せず）に座構成部材１とともに効率良く収納され所定の方法で流通される。
【００３６】
図１３〜１５では、座構成部材１に、フレーム状の座支持体２ｃを適用したベンチタイプの椅子Ａｃを示している。この椅子Ａｃは、三人が並んで着座し得るベンチタイプのものであり、座支持体２ｃに三つの座構成部材１を支持させている。
【００３７】
座支持体２ｃは、床Ｆに対して立設された左右の起立脚部２５１とこれら左右の起立脚部２５１間に架設された横架部２５２とを有したベース脚２５と、下端部が前記ベース脚２５の横架部２５２に取り付けられるとともに前記座構成部材１及び背凭れＢを支持する支持フレーム本体２６と、この座支持フレーム本体２６に回動可能に取り付けられ座構成部材１を直接的に支持する座受フレーム２７とを備えたものである。
【００３８】
支持フレーム本体２６は、金属フレームにより形成されたものであり前部において座受フレーム２７を回動可能に支持するとともに上部において背凭れＢを支持している。
【００３９】
座受フレーム２７には、複数箇所にねじ挿通孔２７１が設けられている。当該ねじ挿通孔２７１を通過した止着具たるねじｖ３は、座構成部材１の脚取付部たるねじ孔Ｔ１に螺合するようになっている。
【００４０】
背凭れＢの上端部には後方に向けて庇状に突出した突出部Ｂ１が形成されている。突出部Ｂ１には、その上面側にナンバープレートＰ１を取り付け可能にしてある。また、支持フレーム本体２６の下部にもＶ字状のフレーム部材間に挟まれる態様でナンバープレートＰ２を装着し得るようになっている。これらナンバープレートＰ１、Ｐ２には、座席ナンバーの表示以外に、例えば、座構成部材１に関連した人物名や組織名等の情報が適宜の方法で表示され得るようになっている。
【００４１】
図１６では、座構成部材１に、フレーム状の座支持体２ｄを適用した折り畳みタイプの椅子Ａｄを示している。
【００４２】
座支持体２ｄは、左右対をなす前脚２８１と、左右対をなす後脚２８２と、左側の前脚２８１及び後脚２８２における上端部と右側の前脚２８１及び後脚２８２における上端部との間に架設された横架フレーム２８３とを具備してなる脚フレーム２８と、下端部が前記前脚２８１及び後脚２８２の上端部に取り付けられ前部において座構成部材１を直接的に支持する座受フレーム３０を回動可能に支持するとともに上部で背凭れＣを支持してなる支持フレーム本体２９とを備えている。この椅子Ａｄは折り畳みタイプであり、左右の前脚２８１が横架フレーム２８３に対して回動可能に支持されている。そして、不使用時には前脚２８１を回動させて後脚２８２に沿う位置に移動させることができるようになっている。
【００４３】
左右の前脚２８１の離間寸法は、左右の後脚２８２の離間寸法よりも小さく設定されてあり、座構成部材１を跳ね上げた状態で、同一構造をなす他の折り畳みタイプの椅子を前後方向にスタッキングできるように構成されている。
【００４４】
この座支持体２ｄの座受フレーム３０には、複数箇所にねじ挿通孔（図示せず）が設けられている。そして、ねじ挿通孔を通過した止着具たるねじ（図示せず）は、座構成部材１の脚取付部たるねじ孔Ｔ１に螺合するようになっている。
【００４５】
この座支持体２ｄにおける背凭れＣの上端部には後方に向けて庇状に突出した突出部Ｃ１が形成されており、その突出部Ｃ１の上面側にナンバープレートＰ３を取り付け可能にしてある。さらに、支持フレーム本体２９の下部にもＶ字状のフレーム部材間に挟まれる態様でナンバープレートＰ４を取り付け可能にしてある。これらナンバープレートＰ３、Ｐ４には、座席ナンバーの表示以外に、例えば、座構成部材１に関連した人物名や組織名等の情報が表示され得るようになっている。
【００４６】
以上説明したように、本実施形態に係る座構成部材１は、厚み方向に弾性変形可能な着座部１１とこの着座部１１の周縁を保持する周縁枠部１２とを備えてなり、前記周縁枠部１２の複数箇所に脚取付部であるねじ孔Ｔ１や係合凹部Ｔ２を設けたものである。そして、脚取付部たるねじ孔Ｔ１や係合凹部Ｔ２が、複数種類の座支持体２ａ、２ｂ、２ｃ、２ｄを選択的に取付けることができるように構成されている。このため、複数種類の椅子Ａａ、Ａｂ、Ａｃ、Ａｄに共通して使用することができる座構成部材１を提供することができるものとなる。
【００４７】
このような座構成部材１のより具体的な使用例を挙げれば次のとおりである。すなわち、スポーツ競技会等のイベントにおける競技会場においては、一定の期間、臨時的に多くの椅子を準備することが求められる。このとき、座構成部材１を短寸脚状の座支持体２ａに支持させることにより競技会場用の座椅子Ａａを構成することができる（なお、競技会場等で必要な椅子のタイプに対応して、座支持体は適宜選択されるものである）。次いで、スポーツ競技会等のイベントが終了した後は、座構成部材１を当該短寸脚状の座支持体２ａから取り外し、しかる後に、スツールタイプの椅子Ａｂに適用するべく前記座構成部材１を転用し、そのまま脚状の座支持体２ｂに取り付けることができるようになっている。換言すれば、座構成部材１は、スポーツ競技会等の場において臨時的な椅子の座を構成する部材として単に終焉してしまうものではなく、そのスポーツ競技会等に臨んだ椅子を構成したという歴史的な意義を引き継ぎつつ、異なるタイプの新たな椅子の座を構成する部材として機能を発揮し得るものとなる。
【００４８】
複数種類の座支持体２ａ、２ｂ、２ｃ、２ｄが、床に置かれるタイプの座椅子Ａａを構成する短寸脚状の座支持体２ａ、スツールタイプの椅子Ａｂを構成する脚状の座支持体２ｂ、ベンチタイプの椅子Ａｃを構成するフレーム状の座支持体２ｃ、折り畳みタイプの椅子Ａｄを構成するフレーム状の座支持体２ｄの少なくとも２つである。したがって、座構成部材１が、タイプの異なる椅子に共通的に適用され得るものとなる。
【００４９】
前記着座部１１が、網状のものであり、この着座部１１と前記周縁枠部１２とが合成樹脂により一体に形成されているものであるため、着座者に対する好適なクッション性を付与するための弾性変形度合いが設定され得るとともに必要な強度が保持された座構成部材１を形成するための設計の自由度が向上するものとなる。
【００５０】
前記脚取付部が、ねじ孔Ｔ１及び／又は座支持体２ａに設けられた弾性爪２１を係合させるための係合凹部Ｔ２であるため、複数種類の座支持体２ａ、２ｂ、２ｃ、２ｄに柔軟に装着され得るものとなっている。
【００５１】
前記脚取付部が、座支持体２ａに設けられた弾性爪２１を係合させるための係合凹部Ｔ２であり、座支持体２ａが上端側に弾性爪２１を有するとともに下端側に床Ｆに固定するための止着具ｖ１を挿通させ得る取付孔２２を有するものである。このため、座支持体２ａの座構成部材１に対する取り付けが容易になるとともに床Ｆに座構成部材１を固定させた使用の態様を実現し易いものとなっている。
【００５２】
前記着座部１１が、中央部分１１ｃが周縁部分１１ｅよりも低くなるような湾曲面１１ｗを有したものであるため、着座者の着座時に過度な弾性変形が惹起され難いものとなり、着座者の体重の多寡にかかわらず着座者に対して好適な座り心地を付与し得るものとなっている。
【００５３】
座構成部材１は、座支持体２ａ、２ｂ、２ｃ、２ｄに支持されて椅子Ａａ、Ａｂ、Ａｃ、Ａｄを構成するものであるため、着座者に安心感を与える信頼性の高い座構成部材１を備えた椅子Ａａ、Ａｂ、Ａｃ、Ａｄを実現し易いものとなる。
【００５４】
続いて、以下、順に、他の実施形態である第二、第三、第四、第五、第六、及び、第七の実施形態について説明する。
【００５５】
＜第二の実施形態＞
第二の実施形態である座構成部材Ａ１、及び、座構成部材Ａ１に取り付けられる短寸脚状の座支持体Ａ２ａについて、図１７〜２０を参照して説明する。なお、この実施形態における符号は、頭に「Ａ」を付加した上で、第一の実施形態と同一又は対応する構成については、同一の符号を付して説明するものとし説明を省略する。
【００５６】
座構成部材Ａ１は、複数タイプの座支持体に支持させることができるものである。図１７〜２０では、座構成部材Ａ１を、床におかれる短寸脚状の座支持体Ａ２ａに取り付けた態様の座椅子ＡＡａについて説明する。
【００５７】
座構成部材Ａ１は、着座部Ａ１１とこの着座部Ａ１１の周縁を保持する周縁枠部Ａ１２を備えている。座構成部材Ａ１は、周縁枠部Ａ１２における下側の周縁枠部材Ａ１２２の下面側に下方に向かって開口する溝ｍｚが形成されている。この溝ｍｚは、周縁枠部材Ａ１２２の全周に連続して設けられている。溝ｍｚは、外側壁ｍｚ１とこの外側壁ｍｚ１に対向配置された内側壁ｍｚ２と、これら外側壁ｍｚ１及び内側壁ｍｚ２の間に配された底壁ｍｚ３とを有している。また、底壁ｍｚ３には、前記外側壁ｍｚ１及び内側壁ｍｚ２と平行に立設された二本のリブｒｂを備えている。これらリブｒｂの下端縁は、外側壁ｍｚ１及び内側壁ｍｚ２の下端縁よりも奥に控えて位置している。底壁ｍｚ３には、座支持体Ａ２ａ及び後述する溝カバーｍｃをねじｖ５を用いて共締めにより取り付けるための脚取付部たるねじ孔ＡＴ１が設けられている。
【００５８】
この実施形態では、溝ｍｚを閉塞するための溝カバーｍｃが設けられている。溝カバーｍｃは、溝ｍｚに対応して設けられた八角枠状のものであり、ねじ挿通孔ｎ１を有した底壁ｍｃ１と、この底壁ｍｃ１の外側端部及び内側端部から立設された側壁ｍｃ２とを備えたものである。溝カバーｍｃは、溝ｍｚに嵌り込むものであり、溝カバーｍｃの側壁ｍｃ２が、溝ｍｚにおける外側壁ｍｚ１とリブｒｂとの間、及び、内側壁ｍｚ２とリブｒｂとの間に位置するようになっている。
【００５９】
短寸脚状の座支持体Ａ２ａは、樹脂により一体に形成されたものであり、ブロック状をなす短寸脚本体Ａ２０を主体に構成されている。
【００６０】
短寸脚本体Ａ２０は、ねじ挿通孔Ａ２３を有した底壁Ａ２０ａと、この底壁Ａ２０ａの外方端から立設された外壁Ａ２０ｂと、前記底壁Ａ２０ａの内方端から立設された内壁Ａ２０ｃと、前記底壁Ａ２０ａの側端から立設された側壁Ａ２０ｄと、側壁Ａ２０ｄの上端部から内向きに延設された上壁Ａ２０ｅとを備えている。内壁Ａ２０ｃは、上部に突出片ｈ１が設けられており、座構成部材Ａ１の周縁枠部Ａ１２の内面に添接して位置決めできるようになっている。上壁Ａ２０ｅにはねじ挿通孔Ａ２３を配した円筒状のボスｂｓが上方向に突出するように設けられている。
【００６１】
座支持体Ａ２ａと溝カバーｍｃは、共通のねじｖ５を用いて、座構成部材Ａ１に対して共締めされる。すなわち、ねじｖ５は、座支持体Ａ２ａのねじ挿通孔Ａ２３及び溝カバーｍｃのねじ挿通孔ｎ１を通過した上で、座支持体Ａ２ａの脚取付部であるねじ孔ＡＴ１に螺合される。
【００６２】
続いて、図２１〜２３では、溝カバーｍｃを、四つに分割した溝カバー部材ｍｃａにより構成してなるものを示している。各溝カバー部材ｍｃａは、一端側にねじ挿通孔ｎ２を有した突出片ｈ２を延伸して設けており、各溝カバー部材ｍｃａ同士を組み合わせた場合に、前記突出片ｈ２が他の溝カバー部材ｍｃａの底壁ｍｃ１の内側（上側）に位置するように設定されている。カバー部材ｍｃａの他端側には、座支持体Ａ２ａの上壁Ａ２０ｅに設けられたボスｂｓが嵌り合う大きさの貫通孔ｎ４が設けられている。
【００６３】
＜第三の実施形態＞
第三の実施形態である座構成部材Ｂ１、及び、当該座構成部材Ｂ１を座支持体Ｂ２ｂ、ＢＡｃに取り付けた例について、図２４〜２６を参照して説明する。なお、この実施形態における符号は、頭に「Ｂ」を付加した上で、第一の実施形態と同一又は対応する構成については同一の符号を付して説明するものとし説明を省略する。
【００６４】
座構成部材Ｂ１は、複数タイプの座支持体ＢＡｂ、ＢＡｃに支持させることができるものである。また、この座構成部材Ｂ１は座支持体ＢＡｂ、ＢＡｃに支持させることなく、図２４に示すように、それ自体で床Ｆにおいて座として使用することもできるようになっている。図２５では、座構成部材Ｂ１を、スツールタイプの椅子ＢＡｂを構成する脚状の座支持体Ｂ２ｂに取り付けた状態のものを示しており、図２６では、ベンチタイプの椅子ＢＡｃを構成するフレーム状の座支持体Ｂ２ｃに取り付けた状態のものを示している。
【００６５】
座構成部材Ｂ１は、厚み方向に弾性変形可能な着座部Ｂ１１とこの着座部Ｂ１１の周縁を保持する周縁枠部Ｂ１２とを備えたものであり、これら着座部Ｂ１１及び周縁枠部Ｂ１２は合成樹脂により一体に形成されている。
【００６６】
着座部Ｂ１１は、上面側に着座者の臀部が添接し得る着座面Ｂ１１ａを有したものであり、厚み方向に対して上下方向に弾性変形し易いものとなっている。また、着座部Ｂ１１は、中央部分Ｂ１１ｃが周縁部分Ｂ１１ｅよりも膨らんだような形状をなしている。換言すれば、着座部Ｂ１１は、上方に凸をなす湾曲面Ｂ１１ｗを有している。
【００６７】
着座部Ｂ１１は、複数の丸孔である第一貫通孔Ｂ１１１、及び、当該第一貫通孔Ｂ１１１に隣接して設けられた比較的小さな略三角形の第二貫通孔Ｂ１１２と、これら第一、第二貫通孔Ｂ１１１、Ｂ１１２との間に形成された樹脂部分Ｂ１１３とを備えたものである。
【００６８】
周縁枠部Ｂ１２は、着座部Ｂ１１を囲繞する枠状のものである。周縁枠部Ｂ１２は、着座部Ｂ１１を取り巻くものであり、着座部Ｂ１１よりも剛性が高くなるように形成されている。周縁枠部Ｂ１２は、着座部Ｂ１１の周端縁に連続して設けられた湾曲壁Ｂ１２１とこの湾曲壁Ｂ１２１に連続して下方に延設された起立壁Ｂ１２２を主体に構成されている。周縁枠部Ｂ１２は、湾曲壁Ｂ１２１を有しているため、着座部Ｂ１１よりも剛性が強いものとなっている。
【００６９】
座構成部材Ｂ１は、図２５に示すように、脚状の座支持体Ｂ２ｂに適宜の方法により取り付けられてスツールタイプの椅子ＢＡｂを構成する。また、座構成部材Ｂ１は、図２６に示すように、フレーム状の座支持体Ｂ２ｃに対して適宜の方法により取り付けられてベンチタイプの椅子ＢＡｃを構成している。
【００７０】
＜第四の実施形態＞
第四の実施形態である座構成部材Ｃ１、及び、当該座構成部材Ｃ１の一使用例について、図２７〜２８を参照して説明する。なお、この実施形態における符号は、頭に「Ｃ」を付加した上で、第一の実施形態と同一又は対応する構成については、同一の符号を付して説明するものとし説明を省略する。
【００７１】
座構成部材Ｃ１は、複数タイプの座支持体に支持させることができるものである。また、この座構成部材Ｃ１は座支持体に支持させることなく、図２７、２８に示すように、それ自体を単純床Ｆ（Ｆ１）や段床Ｆ（Ｆ２）に置いて座として使用することができるようになっている。
【００７２】
座構成部材Ｃ１は、平面視において略六角形状をなしており、厚み方向に弾性変形可能な着座部Ｃ１１とこの着座部Ｃ１１の周縁を保持する周縁枠部Ｃ１２とを備えている。これら着座部Ｃ１１及び周縁枠部Ｃ１２は合成樹脂により一体に形成されている。
【００７３】
着座部Ｃ１１は、上面側に着座者の臀部が添接し得る着座面Ｃ１１ａを有した網状のものであり、厚み方向に対して上下方向に弾性変形し易いものとなっている。また、着座部Ｃ１１は、中央部分Ｃ１１ｃが周縁部分Ｃ１１ｅよりも膨らんだような上方に凸をなす湾曲面Ｃ１１ｗを有している。換言すれば、着座部Ｃ１１は、中央部分Ｃ１１ｃが周縁部分Ｃ１１ｅよりも高くなるような環湾曲面Ｃ１１ｗを有したものであり、着座者が着座した場合には弾性変形により前記中央部分Ｃ１１ｃが前記周縁部分Ｃ１１ｅより低くなるような湾曲面Ｃ１１ｗを形成し得るものとなっている。
【００７４】
着座部Ｃ１１は、複数の三角形状の貫通孔Ｃ１１１と、これら複数の貫通孔Ｃ１１１間に形成された帯状部分Ｃ１１３とを備えたものである。
【００７５】
周縁枠部Ｃ１２は、略六角形をなす着座部Ｃ１１を囲繞する六角枠状のものである。周縁枠部Ｃ１２は、着座部Ｃ１１を取り巻くものであり、着座部Ｃ１１よりも剛性が高くなるように形成されている。周縁枠部Ｃ１２は、着座部Ｃ１１の周端縁に連続して外方に延出した延出壁Ｃ１２１と、この延出壁Ｃ１２１における六ヶ所の角部分から下方に向けて突設された脚としての機能を奏し得る突出壁Ｃ１２２とを備えている。
【００７６】
なお、図示された例以外の使用例としては、座構成部材Ｃ１を既設のベンチ上に配置することにより、着座面を既設のベンチの着座面よりも高いものとしたり、既設のベンチの着座部よりも軟らかな着座部Ｃ１１を提供したりすることができるものとなっている。さらに他の使用例としては、座構成部材Ｃ１を地面に配置することにより、着座部Ｃ１１によって衣服が地面に触れて汚れることを抑制しつつ、砂遊びや所作業等を行い得ることができるものとなっている。この座構成部材Ｃ１は、中央部分が上方に膨出した形状をなしているため、同一構造をなす他の座構成部材Ｃ１を上下方向に積み重ねることができるようになっている。
【００７７】
＜第五の実施形態＞
第五の実施形態である座構成部材Ｄ１、及び、当該座構成部材Ｄ１の座支持体Ｄ２ａへの取り付け例について、図２９〜３１を参照して説明する。なお、この実施形態における符号は、頭に「Ｄ」を付加した上で、第一の実施形態と同一又は対応する構成については、同一の符号を付して説明するものとし説明を省略する。
【００７８】
図２９〜３１は、座構成部材Ｄ１に、短寸脚状の座支持体Ｄ２ａを適用した座椅子ＤＡａを部分的に示している。この座椅子ＤＡａは、床Ｆに配設されるものである。座椅子Ａａは、床Ｆに固定された態様で使用されるものである。  座構成部材Ｄ１は、厚み方向に弾性変形可能な着座部Ｄ１１とこの着座部Ｄ１１の周縁を保持する周縁枠部Ｄ１２とを備えている。これら着座部Ｄ１１及び周縁枠部Ｄ１２は合成樹脂により一体に形成されている。
【００７９】
周縁枠部Ｄ１２は、着座部Ｄ１１を囲繞するものである。周縁枠部Ｄ１２は、着座部Ｄ１１よりも剛性が高くなるように形成されている。周縁枠部Ｄ１２は、着座部Ｄ１１の周端縁に連続して外方に延設され上下方向に延びる起立壁Ｄ１２１を有している。起立壁Ｄ１２１には、複数箇所に座支持体Ｄ２ａを取り付けるための脚取付部である貫通孔Ｔ３が設けられている。
【００８０】
短寸脚状の座支持体Ｄ２ａは、樹脂により一体に形成されたものであり、ねじ挿通孔ｎ４を配した下壁Ｄ２０と、この下壁Ｄ２０の中間部から立設され内方に前記貫通孔Ｔ３と係わり合う係合突部Ｄ２１１を有した起立壁Ｄ２１とを備えている。取り付け用のねじｖ６は、前記ねじ挿通孔ｎ５を通過させた上で、板材等により構成された床Ｆに対して螺合される。
【００８１】
座構成部材Ｄ１は、前記座支持体Ｄ２ａに対して、ワンタッチ式に着脱することができるようになっている。すなわち、座構成部材Ｄ１の座支持体Ｄ２ａへの取り付けは、座構成部材Ｄ１を床Ｆに固定された座支持体Ｄ２ａに押し付けた上で、着座部Ｄ１１の一時的な弾性変形を利用して内向きに突出された係合突部Ｄ２１１にアンカー部たる前記貫通孔Ｔ３を係合させることにより行われる。座構成部材Ｄ１の座支持体Ｄ２ａからの取り外しは、着座部Ｄ１１の中央部分を適宜の方法により引き上げることにより、着座部Ｄ１１を上方に向かって凸をなすように一時的に弾性変形させ、当該着座部Ｄ１１の一時的な弾性変形に追従した周縁枠部Ｄ１２を内方に移動させて、周縁枠部Ｄ１２のアンカー部たる貫通孔Ｔ３と座支持体Ｄ２ａの係合突部Ｄ２１１との係合を解くことにより行われる。
【００８２】
なお、前記座支持体Ｄ２ａは、ブラケットとしての役割をなし、スツールタイプの椅子を構成する脚状の座支持体（図示せず）に座構成部材Ｄ１を取り付けるために使用することも可能である。
【００８３】
＜第六の実施形態＞
第六の実施形態である座構成部材Ｅ１、及び、当該座構成部材Ｅ１に取り付けられる座支持体Ｅ２ａについて、図３２を参照して説明する。なお、この実施形態における符号は、頭に「Ｅ」を付加した上で、第一の実施形態と同一又は対応する構成については、同一の符号を付して説明するものとし説明を省略する。
【００８４】
図３２は、座構成部材Ｅ１に、短寸脚状の座支持体Ｅ２ａを適用した座椅子ＥＡａを部分的に示している。この座椅子ＥＡａは、床Ｆに配設されるものである。座椅子ＥＡａは、床Ｆに固定された態様で使用されるものである。
【００８５】
座構成部材Ｅ１は、厚み方向に弾性変形可能な着座部Ｅ１１とこの着座部Ｅ１１の周縁を保持する周縁枠部Ｅ１２とを備えている。これら着座部Ｅ１１及び周縁枠部Ｅ１２は合成樹脂により一体に形成されている。
【００８６】
周縁枠部Ｅ１２は、着座部Ｅ１１を囲繞するものである。周縁枠部Ｅ１２は、着座部Ｅ１１よりも剛性が高くなるように形成されている。周縁枠部Ｅ１２は、着座部Ｅ１１の周端縁に連続して上下方向に延びる起立壁Ｅ１２１を有している。起立壁Ｅ１２１には、複数箇所に座支持体Ｅ２ａを取り付けるための脚取付部である貫通孔Ｔ４が設けられている。
【００８７】
短寸脚状の座支持体Ｅ２ａは、樹脂により一体に形成されたものであり、ねじ挿通孔ｎ６を配した下壁Ｅ２０と、この下壁Ｅ２０の外方端部から立設され外方に向かって突設された前記貫通孔Ｔ４と係わり合う係合突部Ｅ２１１を有した起立壁Ｅ２１とを備えている。取り付け用のねじｖ７は、前記ねじ挿通孔ｎ６を通過させた上で、板材等により構成された床Ｆに対して螺合される。また、起立壁Ｅ２１の上端部には下方に凹んだ凹陥部Ｅ２１２が設けられており、前記貫通孔Ｔ４の開口縁の上部分が装着された段階で係わり合うようになっている。すなわち、座構成部材Ｅ１の座支持体Ｅ２ａに対する取り付けは、外方に向かって突設された係合突部Ｅ２１１を内側から外側に向かって前記貫通孔Ｔ４を通過させた上で、貫通孔Ｔ４の開口縁の上部分を前記凹陥部Ｅ２１２に係わり合わせることにより行われる。
【００８８】
なお、前記座支持体Ｅ２ａは、ブラケットとしての役割をなし、スツールタイプの椅子を構成する脚状の座支持体（図示せず）に座構成部材Ｅ１を取り付けるために使用することもできる。
【００８９】
＜第七の実施形態＞
第七の実施形態である座構成部材Ｆ１、及び、当該座構成部材Ｆ１に取り付けられる座支持体Ｆ２ｃについて、図３３及び図３４を参照して説明する。なお、この実施形態における符号は、頭に「Ｆ」を付加した上で、第一の実施形態と同一又は対応する構成については、同一の符号を付して説明するものとし説明を省略する。
【００９０】
図３３は、座構成部材Ｆ１に、フレーム状の座支持体Ｆ２ｃを適用したベンチタイプの椅子ＦＡｃを部分的に示している。座構成部材Ｆ１は、ブラケットｂｒを介して、フレーム状の座支持体Ｆ２ｃに支持される。なお、図３４では、フレーム状の座支持体Ｆ２ｃを示している。この椅子ＦＡｃは、三人が並んで着座し得るベンチタイプのものであり、座支持体Ｆ２ｃに三つの座構成部材Ｆ１を支持させている。
【００９１】
座構成部材Ｆ１は、厚み方向に弾性変形可能な着座部Ｆ１１とこの着座部Ｆ１１の周縁を保持する周縁枠部Ｆ１２とを備えている。これら着座部Ｆ１１及び周縁枠部Ｆ１２は合成樹脂により一体に形成されている。
【００９２】
周縁枠部Ｆ１２は、着座部Ｆ１１を囲繞するものである。周縁枠部Ｆ１２は、着座部Ｆ１１よりも剛性が高くなるように形成されている。周縁枠部Ｆ１２は、着座部Ｆ１１の周端縁に連続して上下方向に延びる起立壁Ｆ１２１を有している。起立壁Ｆ１２１には、複数箇所に座支持体Ｆ２ａを取り付けるための脚取付部である貫通孔Ｔ５が設けられている。
【００９３】
座支持体Ｆ２ｃは、床面等の接地面に対して立設された左右の起立脚部Ｆ２５１とこれら左右の起立脚部Ｆ２５１間に架設された横架部Ｆ２５２とを有したベース脚Ｆ２５と、横架部Ｆ２５２の上側に取り付けられた円環状の支持フレームＦ２６とを備えている。支持フレームＦ２６には、複数箇所に座構成部材Ｆ１を取り付けるためのブラケットｂｒが設けられる。ブラケットｂｒは支持フレームＦ２６における前記座構成部材Ｆ１の貫通孔Ｔ５に対応する位置に配される。
【００９４】
ブラケットｂｒは、支持フレーム２６に外嵌するフレーム取付部ｂｒ１と、このフレーム取付部ｂｒ１の外側に形成された上端縁が円弧状をなした起立壁ｂｒ２と、前記フレーム取付部ｂｒ１と起立壁ｂｒ２との間に形成された凹陥部ｂｒ３とを備えている。凹陥部ｂｒ３は、前記貫通孔Ｔ５の開口縁の上部分と係わり合うようになっている。すなわち、座構成部材Ｆ１のブラケットｂｒに対する取り付けは、外側に位置する起立壁ｂｒ２を内側から外側に向かって前記貫通孔Ｔ５を通過させた上で、貫通孔Ｔ５の開口縁の上部分を前記凹陥部ｂｒ３係わり合わせることにより行われる。
【００９５】
以上に述べた第二、第三、第四、第五、第六、第七の実施形態に示すものにおいても、所期の目的を達成することができるものとなっている。
【００９６】
なお、本発明は、以上に詳述した実施形態に限られるものではない。
【００９７】
座構成部材は、合成樹脂製のものには限定されるものではなく、金属製のものや、木製のもの等、種々の材質のものであってよい。
【００９８】
着座部は、厚み方向に弾性変形可能なものには限定されるものではない。例えば、プレス成形された金属製のものや鋳物で成形されたものであってもよい。着座部が、厚み方向に弾性変形可能なものの場合は、当該弾性変形を実現する構成は、網目の構造や形状、使用される材質、或いは、これらを組み合わせたもの等種々のものを適用することができる。
【００９９】
周縁枠部は、着座部の周縁を保持するものであればよく、必ずしも全周に囲繞されたものでなくてもよく、着座部の周縁を間欠的に保持するようにしたものであってもよい。
【０１００】
脚取付部は、ねじ孔や係合凹部には限られるものではなく、種々の構成のものを採用することができる。例えば、脚取付部は、座支持体側に設けられた孔に嵌入する突出する部材であってもよい。
【０１０１】
座支持体は、座構成部材を支持して椅子を構成するものであればよく、上述した実施形態に示されたものに限定されないのはもちろんのことである。
【０１０２】
その他、各部の具体的構成についても上記実施形態に限られるものではなく、本発明の趣旨を逸脱しない範囲で種々変形が可能である。
【符号の説明】
【０１０３】
１…座構成部材
２ａ、２ｂ、２ｃ、２ｄ…座支持体
１１…着座部
１１ａ…着座面
１１ｃ…中央部分
１１ｅ…周縁部分
１２…周縁枠部
Ａａ、Ａｂ、Ａｃ、Ａｄ…椅子
Ｔ１…ねじ孔（脚取付部）
Ｔ２…係合凹部（脚取付部）
２１…弾性爪
２２…取付孔
【図１】
0006464766.tif 000002
【図２】
0006464766.tif 000003
【図３】
0006464766.tif 000004
【図４】
0006464766.tif 000005
【図５】
0006464766.tif 000006
【図６】
0006464766.tif 000007
【図７】
0006464766.tif 000008
【図８】
0006464766.tif 000009
【図９】
0006464766.tif 000010
【図１０】
0006464766.tif 000011
【図１１】
0006464766.tif 000012
【図１２】
0006464766.tif 000013
【図１３】
0006464766.tif 000014
【図１４】
0006464766.tif 000015
【図１５】
0006464766.tif 000016
【図１６】
0006464766.tif 000017
【図１７】
0006464766.tif 000018
【図１８】
0006464766.tif 000019
【図１９】
0006464766.tif 000020
【図２０】
0006464766.tif 000021
【図２１】
0006464766.tif 000022
【図２２】
0006464766.tif 000023
【図２３】
0006464766.tif 000024
【図２４】
0006464766.tif 000025
【図２５】
0006464766.tif 000026
【図２６】
0006464766.tif 000027
【図２７】
0006464766.tif 000028
【図２８】
0006464766.tif 000029
【図２９】
0006464766.tif 000030
【図３０】
0006464766.tif 000031
【図３１】
0006464766.tif 000032
【図３２】
0006464766.tif 000033
【図３３】
0006464766.tif 000034
【図３４】
0006464766.tif 000035